(57)【要約】【課題】躯体の上面に敷設された断熱材の上面に複数が配列され、形成されている貫通孔から断熱材を貫通した固定ビスが躯体に固定され、断熱材の上面に敷設された防水シートが固着される防水施工躯体で、断熱材が経年劣化により下方に収縮しても、ディスク部材が下降して貫通孔から上方にビス頭部が突出し、防水シートを破断することを防止できる防水施工躯体を提供する。【解決手段】ディスク部材１００は、構造物の上面に固定されるとき、その上下方向に形成されている貫通孔１１０に固定ビス２００が挿通される。その貫通孔１１０にビス頭部２１０が弾発的に係合するので、例えば、構造物の断熱材が経年劣化により下方に収縮しても、ディスク部材１００が下降してビス頭部２１０が貫通孔１１０から上方に突出しない。【選択図】図２
2012211463.tif 000002
【特許請求の範囲】
【請求項１】
躯体と、
前記躯体の上面に敷設される断熱材と、
前記断熱材の上面に配列される複数のディスク部材と、
前記ディスク部材の貫通孔から前記断熱材を貫通されて前記躯体に固定される固定ビスと、
前記断熱材の上面に敷設されて前記ディスク部材に固着される防水シートと、を有し、
前記固定ビスは、大径のビス頭部が小径のビスシャフトの上端に形成されており、
前記ディスク部材は、前記ビスシャフトが挿通されて前記ビス頭部が下部に係合する貫通孔が形成されており、
前記ビス頭部が係合した前記固定ビスの前記貫通孔の上部に係止される係止部材を、さらに有する防水施工躯体。
【請求項２】
前記ディスク部材は、前記貫通孔の下端が前記ビスシャフトと同等な小径で上部が前記ビス頭部と同等な大径の形状に形成されており、前記上部の内周面に前記係止部材が係合する凹部が形成されており、
前記係止部材は、前記貫通孔の上端の前記凹部に弾発的に係合する凸部が外周面に形成されている請求項１に記載の防水施工躯体。
【請求項３】
前記ディスク部材は、前記貫通孔の下端が前記ビスシャフトと同等な小径で上部が前記ビス頭部と同等な大径の形状に形成されており、前記上部の内周面が下方に拡開した円錐台状に形成されており、
前記係止部材は、前記貫通孔の上部に弾発的に係合する下方に拡開した円錐台状に形成されている請求項１に記載の防水施工躯体。
【請求項４】
前記ディスク部材は、前記貫通孔の下端が前記ビスシャフトと同等な小径で上部が前記ビス頭部と同等な大径の形状に形成されており、前記上部の内周面に前記係止部材が螺合する雌ネジが形成されており、
前記係止部材は、前記貫通孔の上端の前記雌ネジに螺合する雄ネジが外周面に形成されている請求項１に記載の防水施工躯体。
【請求項５】
躯体の上面に断熱材を敷設し、前記断熱材の上面に複数のディスク部材を配列し、前記ディスク部材の貫通孔から前記断熱材を貫通させて前記躯体に固定ビスを固定し、前記断熱材の上面に防水シートを敷設して前記ディスク部材に固着させる躯体防水方法であって、
前記固定ビスは、大径のビス頭部が小径のビスシャフトの上端に形成されており、
前記ディスク部材は、形成されている貫通孔に前記ビスシャフトが挿通されて前記ビス頭部が下部に係合し、
前記ビス頭部が係合した前記固定ビスの前記貫通孔の上部に係止部材が係止される、躯体防水方法。
【請求項６】
躯体の上面に敷設された断熱材の上面に複数が配列され、形成されている貫通孔から前記断熱材を貫通した固定ビスが前記躯体に固定され、前記断熱材の上面に敷設された防水シートが固着されるディスク部材であって、
前記固定ビスは、大径のビス頭部が小径のビスシャフトの上端に形成されており、
前記ディスク部材は、前記ビスシャフトが挿通されて前記ビス頭部が下部に係合する貫通孔が形成されており、
前記ビス頭部が係合した前記固定ビスの前記貫通孔の上部に係止される係止部材を、さらに有するディスクセット。
【発明の詳細な説明】
【技術分野】
【０００１】
本発明は、躯体に断熱材と防水シートとが敷設されている防水施工躯体、躯体に断熱材と防水シートとを敷設する躯体防水方法、躯体に敷設された断熱材の上面に固定されるディスク部材と固定ビスからなるディスクセット、に関する。
【背景技術】
【０００２】
従来、構造物の被防水施工面には、シート防水層と同材質の樹脂被覆面やホットメルト系接着剤塗布面を有する平面円形の固定具を複数配置し、それらを固定ビスにより固定し、その上から防水シートなどのシート防水層を設け、固定具とシート防水層を接着、溶着、または高周波誘導加熱による熱融着により、接合してなされる先打ち絶縁工法や、またシート防水層を敷設したのち、固定具を打設し、その後上から補強用の防水シートを固定具上に接着、溶剤溶着を用いて接合する上打ち絶縁工法が、シート防水施工法として採用されている。
【０００３】
最近では建造物における外断熱の効果が認知されており、建物の屋上等においても下地に断熱材を敷設しその上面に防水層を形成する工法が広く採用されている。また建物の屋根に断面凹凸型の折板やデッキプレートで構成することがあり、この場合、屋根に断熱材を敷き詰めることもある。この断熱構造の場合でも、風圧や建物躯体の振動により固定ビスが緩むだけでなく、経年変化による断熱材の痩せによっても、ビス頭が浮いてくると言った不具合が生じる。上記問題を解決するために、各種の提案がされている(特許文献１〜３)。
【先行技術文献】
【特許文献】
【０００４】
【特許文献１】特開２００７−３２２０６号公報
【特許文献２】特開２００７−１６８６４号公報
【特許文献３】特開２００８−０２１２３号公報
【発明の概要】
【発明が解決しようとする課題】
【０００５】
例えば、特許文献１では固定用ビスのビス頭裏面と固定具のビス頭固定用凹部との間にワッシャを入れている。これは繰り返し疲労を受けたビス頭と、ビス頭固定用凹部の間での破壊は抑えることができるかもしれないが、ビス頭が飛び出しシートを破ることに対しては、防ぐことはできない。特許文献２では、ビス自体のねじ山のサイズを二種類設定することで、緩みを抑えているが、ビス加工が煩雑になり、生産性が低下すると考えられる。特許文献３に関しても、特殊な形状のビスを用いているため生産性が低下すると考えられる。
【０００６】
本発明は上述のような課題に鑑みてなされたものであり、既存の一般的な固定ビスを使用しながら、ビス頭部がディスク部材の貫通孔から突出して防水シートを破断することを防止できるディスクセット、を提供するものである。
【課題を解決するための手段】
【０００７】
本発明の防水施工躯体は、躯体と、躯体の上面に敷設される断熱材と、断熱材の上面に配列される複数のディスク部材と、ディスク部材の貫通孔から断熱材を貫通されて躯体に固定される固定ビスと、断熱材の上面に敷設されてディスク部材に固着される防水シートと、を有し、固定ビスは、大径のビス頭部が小径のビスシャフトの上端に形成されており、ディスク部材は、ビスシャフトが挿通されてビス頭部が下部に係合する貫通孔が形成されており、ビス頭部が係合した固定ビスの貫通孔の上部に係止される係止部材を、さらに有する。
【０００８】
従って、本発明の防水施工躯体では、躯体の上面に敷設された断熱材の上面に複数が配列され、形成されている貫通孔から断熱材を貫通した固定ビスが躯体に固定され、断熱材の上面に敷設された防水シートが固着される。ただし、ディスク部材の貫通孔に固定ビスが挿通され、この貫通孔に挿通されたビス頭部を係止部材が係止する。このため、例えば、断熱材が経年劣化により下方に収縮しても、ディスク部材が下降してビス頭部が貫通孔から上方に突出しない。
【０００９】
また、上述のような防水施工躯体において、ディスク部材は、貫通孔の下端がビスシャフトと同等な小径で上部がビス頭部と同等な大径の形状に形成されており、上部の内周面に係止部材が係合する凹部が形成されており、係止部材は、貫通孔の上端の凹部に弾発的に係合する凸部が外周面に形成されていてもよい。
【００１０】
また、上述のような防水施工躯体において、ディスク部材は、貫通孔の下端がビスシャフトと同等な小径で上部がビス頭部と同等な大径の形状に形成されており、上部の内周面が下方に拡開した円錐台状に形成されており、係止部材は、貫通孔の上部に弾発的に係合する下方に拡開した円錐台状に形成されていてもよい。
【００１１】
また、上述のような防水施工躯体において、ディスク部材は、貫通孔の下端がビスシャフトと同等な小径で上部がビス頭部と同等な大径の形状に形成されており、上部の内周面に係止部材が螺合する雌ネジが形成されており、係止部材は、貫通孔の上端の雌ネジに螺合する雄ネジが外周面に形成されていてもよい。
【００１２】
本発明の躯体防水方法は、躯体の上面に断熱材を敷設し、断熱材の上面に複数のディスク部材を配列し、ディスク部材の貫通孔から断熱材を貫通させて躯体に固定ビスを固定し、断熱材の上面に防水シートを敷設してディスク部材に固着させる躯体防水方法であって、固定ビスは、大径のビス頭部が小径のビスシャフトの上端に形成されており、ディスク部材は、形成されている貫通孔にビスシャフトが挿通されてビス頭部が下部に係合し、ビス頭部が係合した固定ビスの貫通孔の上部に係止部材が係止される。
【００１３】
本発明のディスクセットは、躯体の上面に敷設された断熱材の上面に複数が配列され、形成されている貫通孔から断熱材を貫通した固定ビスが躯体に固定され、断熱材の上面に敷設された防水シートが固着されるディスク部材であって、固定ビスは、大径のビス頭部が小径のビスシャフトの上端に形成されており、ディスク部材は、ビスシャフトが挿通されてビス頭部が下部に係合する貫通孔が形成されており、ビス頭部が係合した固定ビスの貫通孔の上部に係止される係止部材を、さらに有する。
【００１４】
なお、本発明では上下方向を規定しているが、これは本発明の構成要素の相対関係を簡単に説明するために便宜的に規定したものであり、本発明を実施する場合の製造時や使用時の方向を限定するものではない。
【発明の効果】
【００１５】
本発明の防水施工躯体では、ディスク部材の貫通孔に挿通されたビス頭部を係止部材が係止するので、例えば、断熱材が経年劣化により下方に収縮しても、ディスク部材が下降してビス頭部が貫通孔から上方に突出することを防止できる。従って、この突出したビス頭部がディスク部材の上層として敷設された防水シートを破断することを防止できる。
【図面の簡単な説明】
【００１６】
【図１】本発明の実施の形態の防水施工躯体のディスク部材に係止部材が係合された状態を示す模式的な縦断正面図である。
【図２】本発明の実施の形態の防水施工躯体の断熱材の経年劣化の状態を示す模式的な縦断正面図である。
【図３】ディスクセットの構造を示す模式的な縦断正面図である。
【図４】一の変形例のディスクセットの構造を示す模式的な縦断正面図である。
【図５】他の変形例のディスクセットの構造を示す模式的な縦断正面図である。
【発明を実施するための形態】
【００１７】
本発明の実施の一形態について図面を参照して以下に説明する。なお、本実施の形態では図面に基づいて上下方向を規定して説明する。しかし、これは構成要素の相対関係を簡単に説明するために便宜的に規定するものである。従って、本発明を実施する製品の製造時や使用時の方向を限定するものではない。
【００１８】
本実施の形態の防水施工躯体は、図１に示すように、躯体３１０と、躯体３１０の上面に敷設される断熱材３２０と、断熱材３２０の上面に配列される複数のディスク部材１００と、ディスク部材１００の貫通孔１１０から断熱材３２０を貫通されて躯体３１０に固定される固定ビス２００と、図２に示すように、断熱材３２０の上面に敷設されてディスク部材１００に固着される防水シート３３０と、を有する。
【００１９】
ただし、固定ビス２００は、大径のビス頭部２１０が小径のビスシャフト２２０の上端に形成されており、ディスク部材１００は、ビスシャフト２２０が挿通されてビス頭部２１０が下部に係合する貫通孔１１０が形成されており、ビス頭部２１０が係合した固定ビス２００の貫通孔１１０の上部に係止される係止部材１２０を、さらに有する。
【００２０】
より具体的には、図３に示すように、本実施の形態のディスクセットでは、ディスク部材１００は、貫通孔１１０の下端１１１がビスシャフト２２０と同等な小径で上部１１２がビス頭部２１０と同等な大径の形状に形成されており、上部１１２の内周面に係止部材１２０が係合する凹部１１３が形成されている。係止部材１２０は、貫通孔１１０の上端の凹部１１３に弾発的に係合する凸部１２１が外周面に形成されている。
【００２１】
より具体的には、図３に示すように、本実施の形態の固定ビス２００は、ビス頭部２１０が下方に先鋭な円錐状の皿ビスからなる。固定ビス２００は、一般的な金属製のものが利用されるが、熱硬化性樹脂、熱可塑性樹脂、エンジニアリングプラスチックなどの樹脂製のものも利用できる。
【００２２】
上述のような構成において、本実施の形態のディスク部材１００を利用して防水施工躯体３００を形成する躯体防水方法を以下に説明する。まず、防水施工躯体３００の躯体３１０としては、コンクリート、ＡＬＣ(Autoclaved Lightweight aerated Concrete)、金属などが代表的なものとしてあげられるが、これだけに限らず、これら下地の上に敷設されたアスファルト防水におけるアスファルト、塗膜防水材における塗膜、なども含まれる。
【００２３】
まず、図１(ａ)に示すように、コンクリートなどの躯体３１０の上面にシート状の断熱材３２０を敷設する。この断熱材３２０は、例えば、板厚が２０〜１５０ｍｍの、ポリスチレンフォーム、硬質ウレタンフォーム、フェノールフォーム等からなる。
【００２４】
つぎに、この断熱材３２０を躯体３１０に固定するため、要所ごとにディスク部材１００を断熱材３２０の上面に配置する。そして、そのディスク部材１００の貫通孔１１０に固定ビス２００のビスシャフト２２０を挿通させ、断熱材３２０を貫通させて躯体３１０に締結させる。
【００２５】
そして、図１（ｂ）に示すように、上述のように固定ビス２００が挿通されたディスク部材１００の貫通孔１１０の上部１１２に係止部材１２０を係止させる。このとき、係止部材１２０の凸部１２１が貫通孔１１０の凹部１１３に弾発的に係合する。
【００２６】
この係止部材１２０によりビス頭部２１０はディスク部材１００の貫通孔１１０に係止されることになる。このように全部のディスク部材１００を固定ビス２００で躯体３１０に固定して係止部材１２０で係止したら、図２(ａ)に示すように、その表面に防水シート３３０を敷設する。
【００２７】
この防水シート３３０は、合成樹脂からなる軟質または半硬質系のシートであり、従来の絶縁工法に常用されているものであれば、どのような材質のものでもよい。例えばこの防水シート３３０は、軟質塩化ビニル樹脂製シートやオレフィン系樹脂製シートの単層からなるものの他、合成樹脂繊維やガラス繊維などのネットが間に介装され補強された複層のものも好適に用いられる。そのシート厚さについては、１．２〜４ｍｍの範囲のものが好適に採用される。
【００２８】
この防水シート３３０は、例えば、溶剤によりディスク部材１００の上面に溶着される。このとき、ディスク部材１００の表面には防水シート３３０と同一の合成樹脂が被覆されている(図示せず)。
【００２９】
また、高周波誘導加熱による熱融着を行うときにはディスク部材１００の上面にはホットメルト接着剤が積層されている。ホットメルト接着剤は通常利用されるホットメルト接着剤を使用することができる。
【００３０】
さらには、樹脂でできたディスク部材１００の最表面を溶融させることで、同一の樹脂でできている防水シート３３０と溶着させることもできるが、ディスク部材と防水シートを固着させる方法は、ここに示した方法に限らない。また、本実施の形態では省略しているが、実際には断熱材３２０と防水シート３３０との間に絶縁シート(図示せず)を敷設することが一般的である。
【００３１】
上述のような防水施工方法により、躯体３１０の上面に断熱材３２０が敷設されており、この断熱材３２０の上面に複数のディスク部材１００が配列されており、この複数のディスク部材１００から断熱材３２０を貫通した固定ビス２００が躯体３１０に締結されており、最上層に敷設された防水シート３３０がディスク部材１００に固定されている、防水施工躯体３００が完成する。
【００３２】
上述のような防水施工方法により形成された防水施工躯体３００では、防水シート３３０により全体が防水されることになり、断熱材３２０により躯体３１０が外断熱されることになる。
【００３３】
上述のような防水施工方法により形成された防水施工躯体３００では、図２(ｂ)に示すように、断熱材３２０が経年劣化により収縮することがある。しかし、本実施の形態の防水施工躯体３００では、本実施の形態のディスク部材１００の貫通孔１１０にビス頭部２１０が係止部材１２０で係止されている。
【００３４】
このため、防水施工躯体３００の断熱材３２０が経年劣化により下方に収縮しても、ディスク部材１００が下降してビス頭部２１０が貫通孔１１０から上方に突出しない。従って、この突出したビス頭部２１０がディスク部材１００の上層として敷設された防水シート３３０を破損することを防止できる。
【００３５】
しかも、ディスク部材１００の貫通孔１１０の下端１１１がビスシャフト２２０と同等な小径で上部１１２がビス頭部２１０と同等な大径の形状に形成されている。このため、ビスシャフト２２０をディスク部材１００の貫通孔１１０に円滑に挿通させることができる。
【００３６】
しかし、係止部材１２０の外周面の凸部１２１がディスク部材１００の貫通孔１１０の内周面の凹部１１３に係合するので、ビス頭部２１０をディスク部材１００の貫通孔１１０に良好に係止させることができる。さらに、ディスク部材１００の上面を係止部材１２０で面一とすることができるので、防水シート３３０の溶着を、より確実とすることもできる。
【００３７】
なお、本発明は本実施の形態に限定されるものではなく、その要旨を逸脱しない範囲で各種の変形を許容する。例えば、上記形態では係止部材１２０の外周面の凸部１２１がディスク部材１００の貫通孔１１０の内周面の凹部１１３に係合することを例示した。
【００３８】
しかし、図４に例示するディスクセットのように、ディスク部材１００は、貫通孔１１０の下端１１１がビスシャフト２００と同等な小径に形成されており、上部１４１の内周面が下方に拡開した円錐台状に形成されており、係止部材１４０は、下方に拡開した円錐台状に形成されており、固定ビス２００が挿通された貫通孔１１０の上部１４１に弾発的に係合してもよい。
【００３９】
また、図５に例示するディスクセットのように、円柱状の係止部材１３０の外周面に雄ネジ１３１が形成されていており、固定ビス２００が挿通された貫通孔１１０の上部の内周面に雌ネジ１３２が形成されていてもよい。なお、係止部材１３０の上面には、ドライバ(図示せず)により回転される「＋」や「−」などの溝１３３が形成されている。
【００４０】
この場合、ディスク部材１００の貫通孔１１０に挿通された固定ビス２００のビス頭部２１０を、雌ネジ１３２に雄ネジ１３１が螺合する係止部材１３０で確実に固定することができる。
【００４１】
さらに、上記形態では水平な平場に上方からディスク部材１００を固定して防水シート３３０を敷設することを例示した。しかし、傾斜したルーフ表面にディスク部材１００を固定して防水シート３３０を敷設してもよく、垂直な立上りの表面にディスク部材１００を固定して防水シート３３０を敷設してもよい(ともに図示せず)。
【符号の説明】
【００４２】
１００    ディスク部材
１１０    貫通孔
１１１    下端
１１２    上部
１１３    凹部
１２０    係止部材
１２１    凸部
１３０    係止部材
１３１    雄ネジ
１３２    雌ネジ
１３３    溝
１４０    係止部材
１４１    上部
２００    固定ビス
２１０    ビス頭部
２２０    ビスシャフト
３００    防水施工躯体
３１０    躯体
３２０    断熱材
３３０    防水シート
【図１】
2012211463.tif 000003
【図２】
2012211463.tif 000004
【図３】
2012211463.tif 000005
【図４】
2012211463.tif 000006
【図５】
2012211463.tif 000007